(57)【要約】【課題】エンジン車をベースにしてハイブリッド車を容易に構成できるとともに、電動モータによる変速機ケースへの重量負荷を軽減できるハイブリッド自動車のモータ支持構造を提供する。【解決手段】電動モータ５０のモータ軸突出側の端部を変速機ケース６に固定し、この端部から所定距離隔てた部位を、リテーナ５３を介してブラケット５５で支持する。ブラケット５５は差動装置４０の一方の出力軸４２をベアリング５６を介して支持しており、ブラケット５５の一端部はエンジン１に固定されている。等長ドライブシャフト支持用のブラケット５５を利用して電動モータ５０を両端支持したので、変速機ケース６にかかる重量負荷を軽減でき、耐久性を向上させることができる。【選択図】      図５
2008239123.tif 000002
【特許請求の範囲】
【請求項１】
エンジンと、エンジンから駆動力が入力される変速機と、この変速機から駆動力が伝達され、車輪へ分配する差動装置と、上記変速機からの駆動力とは別に駆動力を上記差動装置へ伝達する電動モータとを備えたハイブリッド自動車において、
上記差動装置は左右の車輪の片側に偏在配置され、
上記差動装置の左右の出力軸はそれぞれ等長ドライブシャフトを介して左右の車輪と接続されており、
上記差動装置の出力軸のうち長い方の出力軸がエンジンの外壁に固定されたブラケットにより回転自在に支持されており、
上記電動モータのモータ軸が突出する一端側が変速機ケースに固定され、
上記電動モータの一端側から所定の距離を隔てた部位が上記ブラケットによって支持されていることを特徴とするハイブリッド自動車のモータ支持構造。
【発明の詳細な説明】
【技術分野】
【０００１】
本発明は、駆動源としてエンジンと電動モータとを用いたハイブリッド自動車のモータ支持構造に関するものである。
【背景技術】
【０００２】
従来、エンジンに負荷がかかる発進時や加速時に電動モータを駆動して駆動力をアシストし、減速時には電動モータを発電機として作用させてエネルギー回生を行うパラレル型のハイブリッド自動車が知られている。この種のハイブリッド自動車において、特許文献１（図８参照）には、エンジンを専用駆動源とする自動車をベースにしてハイブリッド自動車を製造する際に、既存の変速機をそのまま流用することができる駆動装置が提案されている。
【０００３】
この駆動装置では、エンジンと、エンジンから駆動力が入力され、変速を行う変速機と、変速機から駆動力が伝達され、駆動力を車輪へ分配する差動装置と、エンジンからの駆動力とは別に差動装置へ駆動力を伝達する電動モータとを備えており、この電動モータは変速機ケースに設けられたトランスファ取付部に取り付けられている。電動モータの出力ギヤは、変速機から動力が伝達される差動装置のリングギヤと同じリングギヤに噛み合っている。電動モータと出力ギヤとの間にはクラッチが設けられており、エンジンのみを駆動源として走行する際には、上記クラッチを遮断状態とし、これにより電動モータの空転を止めてエネルギーロスを抑制している。一方、回生ブレーキ走行モードでは、クラッチを接続状態とし、電動モータを発電機として作用させる。上記構造によって、４輪駆動車用の既存のエンジン、変速機、差動装置、トランスファをそのまま流用しつつ、２輪駆動と４輪駆動の両方が可能なハイブリッド自動車を構成することができる。
【０００４】
上記駆動装置の場合、電動モータを収容したモータハウジングの一端側がトランスファ取付部に横向きで固定され、電動モータはいわば片持ち支持されている。しかし、ハイブリッド車用の電動モータ５０は数十ｋｇにもなる重量物であり、車体振動などが加わった時、電動モータには上下方向または前後方向に大きな慣性力が作用し、変速機ケースに過大な負荷がかかる。そのため、変速機ケースの耐久性を低下させる恐れがある。
【０００５】
特許文献２の図４には、差動装置の一方の出力軸と同軸に電動モータを配置したハイブリッド自動車の駆動装置が提案されている。この場合には、出力軸を支えることによって電動モータも同時に支えることが可能であり、変速機ケースにかかる重量負荷を軽減できる。しかし、電動モータの回転軸を中空円筒状としたり、電動モータの直径が大きくなるなど、特殊な構造の電動モータを使用しなければならず、コスト上昇を招く結果となる。
【特許文献１】特開平９−９５１４９号公報
【特許文献２】特開２００２−１６０５４０号公報
【発明の開示】
【発明が解決しようとする課題】
【０００６】
そこで、本発明の目的は、エンジン車をベースにしてハイブリッド車を容易に構成できるとともに、電動モータによる変速機ケースへの重量負荷を軽減できるハイブリッド自動車のモータ支持構造を提供することにある。
【課題を解決するための手段】
【０００７】
上記目的を達成するため、本発明は、エンジンと、エンジンから駆動力が入力され、入力回転速度を変化させて差動装置に駆動力を伝達し、車輪を駆動する変速機と、上記エンジンからの駆動力とは別に上記差動装置へ駆動力を伝達する電動モータとを備えたハイブリッド自動車において、上記差動装置は左右の車輪の片側に偏在配置され、上記差動装置の左右の出力軸はそれぞれ等長ドライブシャフトを介して左右の車輪と接続されており、上記差動装置の出力軸のうち長い方の出力軸がエンジンの外壁に固定されたブラケットにより回転自在に支持されており、上記電動モータのモータ軸が突出する一端側が変速機ケースに固定され、上記電動モータの一端側から所定の距離を隔てた部位が上記ブラケットによって支持されていることを特徴とするハイブリッド自動車のモータ支持構造を提供する。
【０００８】
本発明では、エンジンからの駆動力を差動装置を介して車輪に伝達するとともに、電動モータからの駆動力を差動装置を介して車輪に伝達するように構成したので、エンジン車をベースにして少ない設計変更でハイブリッド車を構成できる。また、電動モータの一端側を変速機ケースに固定するとともに、この一端側から所定距離隔てた部位を、エンジン（シリンダブロック）に固定された等長ドライブシャフト用のブラケットによって支持している。ブラケットによって支持される電動モータの部位としては、電動モータの重心位置又はそれより自由端側、つまり変速機ケースに固定された電動モータの一端側に対して反対側がよい。このように、電動モータは前後方向の所定のスパンで両持ち支持されているため、その荷重を変速機ケースとブラケットとで分担でき、変速機ケースにかかる重量負荷を軽減できる。そのため、変速機ケースの耐久性を向上させることができる。通常のドライブシャフトが電動モータの近傍に配置されている場合には、走行中にドライブシャフトが上下に振れ、電動モータと干渉する恐れがあるが、ブラケットによって支えられた差動装置の出力軸は、走行中、上下に変位しないので、電動モータと干渉することがない。さらに、電動モータとして特殊な構造のモータを必要とせず、一般的なモータを使用できるので、コストを低減できる。
【０００９】
好ましい実施形態によれば、電動モータをリテーナを介してブラケットに固定してもよい。この場合には、ブラケットにリテーナを介して電動モータを支持することで、既存の等長ドライブシャフト用ブラケットを大幅に設計変更する必要がなく、安価に構成できる。
【発明の効果】
【００１０】
以上のように、本発明によれば、電動モータの一端側を変速機ケースに固定するとともに、この一端側から離れた部位を等長ドライブシャフト用ブラケットによって支持したので、電動モータは変速機ケースとブラケットとで両端支持され、支持剛性が高くなるとともに、変速機ケースにかかる重量負荷を軽減できる。そのため、変速機ケースの耐久性を向上させることができる。
【発明を実施するための最良の形態】
【００１１】
以下に、本発明の実施の形態を、実施例を参照して説明する。
【実施例１】
【００１２】
図１〜図８は本発明に係るハイブリッド自動車の駆動装置の第１実施例を示す。この実施例は、ＦＦ横置き式のエンジン車をベースとし、変速機として無段変速機を用いた例である。
【００１３】
無段変速機Ａの入力軸１０は、エンジン１の出力軸２とトルクコンバータ３を介して接続されている。無段変速機Ａは、入力軸１０の回転を正逆切り替えて駆動軸１１に伝達する前後進切替装置２０、駆動プーリ３１と従動プーリ３３と両プーリ間に巻き掛けられたＶベルト３５とからなる変速機構３０、従動軸１２の動力を出力軸４１，４２に伝達する差動装置４０、電動モータ５０などを備えている。入力軸１０と駆動軸１１とは同一軸線上に配置され、従動軸１２と差動装置４０の出力軸４１，４２とは入力軸１０に対して平行でかつ非同軸に配置されている。したがって、この無段変速機は全体として３軸構成とされている。この実施例で用いられるＶベルト３５は、一対の無端状張力帯と、これら張力帯に支持された多数のブロックとで構成された公知の金属ベルトである。
【００１４】
無段変速機Ａを構成する各部品は変速機ケース４の中に収容されている。変速機ケース４は、変速機構３０や前後進切替機構２０などを収容する本体ケース５と、トルクコンバータ３を収容するコンバータハウジング６と、駆動軸１１と従動軸１２の軸端を支えるエンドカバー７とを備えている。本体ケース５とコンバータハウジング６とエンドカバー７で構成される第１収容室Ｓ１の内部には、変速機構３０や前後進切替機構２０、差動装置４０が収容されている。また、本体ケース５の底部にはオイルパン８が固定されており、その中に変速機構３０、前後進切替装置２０及びトルクコンバータ３のロックアップを制御するための変速制御用油圧制御装置１６（図２参照）が収容されている。トルクコンバータ３と前後進切替装置２０との間には、エンジン出力軸２によって駆動されるオイルポンプ９が配置され、その発生油圧は油圧制御装置１６に供給されている。
【００１５】
前後進切替装置２０は、遊星歯車装置２１と逆転ブレーキ２８と直結クラッチ２９とで構成されている。遊星歯車装置２１のサンギヤ２２は入力軸１０に連結され、リングギヤ２３は駆動軸１１に連結されている。この例の遊星歯車装置２１はシングルピニオン方式であり、逆転ブレーキ２８はピニオンギヤ２４を支えるキャリア２５と本体ケース５との間に設けられ、直結クラッチ２９はキャリア２５とサンギヤ２２との間に設けられている。
【００１６】
直結クラッチ２９を解放して逆転ブレーキ２８を締結すると、トルクコンバータ３から入力される駆動力が逆転されかつ減速されて駆動プーリ３１へ伝達され、従動プーリ３２及び差動装置４０を介して出力軸４１，４２がエンジン回転方向と同一方向に駆動されるため、前進駆動状態となる。逆に、逆転ブレーキ２８を解放して直結クラッチ２９を締結すると、遊星歯車装置２１のキャリア２５とサンギヤ２２とが一体に回転するので、トルクコンバータ３から入力された駆動力がそのまま駆動プーリ３１へ伝達され、従動プーリ３２及び差動装置４０を介して出力軸４１，４２がエンジン回転方向と逆方向に駆動され、後退駆動状態となる。
【００１７】
変速機構３０を構成する駆動プーリ３１は、駆動軸１１上に一体に固定された固定シーブ３１ａと、駆動軸１１上に軸方向移動自在に、かつ一体回転可能に支持された可動シーブ３１ｂと、可動シーブ３１ｂの背後に設けられた油圧サーボ３２とを備えている。油圧サーボ３２に供給される油圧を制御することにより、変速制御が実施される。従動プーリ３３は、従動軸１２上に一体に固定された固定シーブ３３ａと、従動軸１２上に軸方向移動自在に、かつ一体回転可能に支持された可動シーブ３３ｂと、可動シーブ３３ｂの背後に設けられた油圧サーボ３４とを備えている。油圧サーボ３４に供給される油圧を制御することにより、トルク伝達に必要なベルト推力が与えられる。
【００１８】
従動軸１２の一端部はエンジン１側に向かって延び、この一端部に出力ギヤ１３が固定されている。出力ギヤ１３は差動装置４０の第１リングギヤ４３に噛み合っており、差動装置４０から左右に延びる出力軸４１，４２に動力が分配される。差動装置４０には、第１リングギヤ４３より小径な第２リングギヤ４４が、第１リングギヤ４３よりエンジン側であって、本体ケース５の端面よりエンジン側に突出した位置に設けられている。第２リングギヤ４４には、後述する電動モータ５０から減速ギヤ機構６０及びモータ動力断続用の油圧クラッチ７０を介して動力が伝達される。出力軸４２は出力軸４１より長く、エンジン１の側部に沿って延びている。出力軸４１，４２の端部には、それぞれジョイント４５，４６を介して等長ドライブシャフト４７，４８が接続され、各ドライブシャフト４７，４８の端部に駆動輪（図示せず）が連結されている。
【００１９】
図５，図６に示すように、電動モータ５０のモータ軸５０ａが突出する一端部に設けた取付座５１は、コンバータハウジング６に複数本のボルト５２によって締結され、電動モータ５０はコンバータハウジング６に横向きで固定されている。なお、後述するギヤカバー１４を間にしてコンバータハウジング６と取付座５１とをボルト５２で締結してもよい。電動モータ５０の一端面から所定距離離れた位置には、リテーナ５３の一端部がボルト５４ａによって締結されている。リテーナ５３の締結位置は、好ましくは電動モータ５０の重心位置又はそれより自由端側がよい。リテーナ５３の他端部は、出力軸４２を支える等長ドライブシャフト用ブラケット５５にボルト５４ｂによって締結されている。ブラケット５５はベアリング５６を介して出力軸４２を回転自在に支持しており、ブラケット５５の一端部はエンジン１（シリンダブロック）の側面にボルト５７によって締結されている。そのため、ブラケット５５は、出力軸４２を支えるとともに、リテーナ５３を介して電動モータ５０の荷重の一部を支える機能を有する。
【００２０】
ハイブリッド車用の電動モータ５０は数十ｋｇにもなる重量物であり、その一端面だけをコンバータハウジング６に締結しただけでは、繰り返し振動等が加わったとき、コンバータハウジング６の耐久性を低下させる恐れがあるが、上記のように電動モータ５０の荷重の一部をリテーナ５３，ブラケット５５を介してエンジン１によって支持することで、コンバータハウジング６に作用する荷重を軽減でき、耐久性の向上を図ることができる。また、等長ドライブシャフト用ブラケット５５を利用して電動モータ５０を支持しているので、モータ専用の支持ブラケットを必要とせず、低コストでモータ５０を支持できる。なお、図５ではリテーナ５３を電動モータ５０の軸方向ほぼ中間部に固定した例を示したが、電動モータ５０の自由端側に近い位置に固定してもよい。また、リテーナ５３とブラケット５５とを一部品で構成してもよい。つまり、ブラケット５５にモータ支持部を一体に形成してもよい。
【００２１】
コンバータハウジング６の差動装置４０を収容したデフ収容部６ａの斜め上部には、拡張ケース部６ｂが一体に形成されており、この拡張ケース部６ｂの開口部をギヤカバー１４で閉じることにより、内部に減速ギヤ機構６０、油圧クラッチ７０及びモータ動力制御用油圧制御装置９０を収容する第２収容室Ｓ２が形成されている。つまり、第２収容室Ｓ２は、デフ収容部６ａの内部に形成されたデフ収容室Ｓ３より上部に形成されている。なお、この例では第２収容部Ｓ２に減速ギヤ機構６０、油圧クラッチ７０及びモータ動力制御用油圧制御装置９０を一緒に収容したが、モータ動力制御用油圧制御装置９０を減速ギヤ機構６０及び油圧クラッチ７０とは別の収容室に配置してもよい。この場合には、例えば減速ギヤ機構６０と油圧クラッチ７０とを差動装置４０が収容されたデフ収容室Ｓ３内に配置してもよい。
【００２２】
減速ギヤ機構６０は、図３，図４に示すように、電動モータ５０のモータ軸５０ａと同軸上でスプライン結合された第１減速軸６１と、第１減速軸６１に対して平行に配置された第２減速軸６２とを備えている。なお、モータ軸５０ａと第１減速軸６１とを一部品で構成してもよい。第１減速軸６１には第１減速ギヤ６１ａが一体に形成されており、この第１減速ギヤ６１ａはそれより大径な第２減速ギヤ６３と噛み合っている。第２減速ギヤ６３は、第２減速軸６２にスプライン嵌合された内輪部材６４上にワンウエイクラッチ６５を介して支持されている。第２減速ギヤ６３はワンウエイクラッチ６５の外輪を兼ねている。ワンウエイクラッチ６５の両側には一対のベアリング６６が設けられ、これらベアリング６６によって第２減速ギヤ６３は安定に支持されている。ワンウエイクラッチ６５は、電動モータ５０から差動装置４０へのみ動力を伝達するものであり、内輪部材６４が第２減速ギヤ６３より高速回転する時にはフリーとなる。第２減速ギヤ６３には油圧クラッチ７０のクラッチハブ７１が一体に形成されている。第２減速軸６２には油圧クラッチ７０のクラッチドラム７２がスプライン固定され、このクラッチドラム７２の内部にピストン７３が配置されている。クラッチハブ７１とクラッチドラム７２との間には、上記ピストン７３によって締結，解放される複数のクラッチ板７４が配置されている。
【００２３】
上記のように電動モータ５０と差動装置４０との間にワンウエイクラッチ６５と油圧クラッチ７０とを並列に配置したので、アイドルストップ等で油圧が発生していない状態から発進する場合には、電動モータ５０の動力をワンウエイクラッチ６５を介して差動装置４０に伝達し、電動モータ５０によって発進できる。また、走行中に油圧が発生している場合には、油圧クラッチ７０を係合して減速時の回生を行い、さらに高速走行時には油圧クラッチ７０を切ることで、電動モータ５０の空転を防止できる。また、ワンウエイクラッチ６５を第２減速ギヤ６３の内側に配置し、第２減速ギヤ６３に油圧クラッチ７０のクラッチハブ７１を形成してあるので、コンパクトで簡素な減速ギヤ機構６０を構成できる。また、この実施例では減速ギヤ機構６０として２本の減速軸６１，６２を用い、電動モータ５０と差動装置４０との間で２段階の減速を行うように構成したので、電動モータ５０としてより小型のモータを使用できるとともに、電動モータ５０のみで発進が可能となる。なお、アイドルストップを実施しない場合には、ワンウエイクラッチ６５を省略することができる。
【００２４】
第２減速軸６２の一端部は差動装置４０を収容したデフ収容部６ａ内に挿入されており、この端部に第２リングギヤ４４と噛み合う出力ギヤ６７が形成されている。この例では、変速機の出力ギヤ１３が第１リングギヤ４３に噛み合い、電動モータ５０からの動力伝達用の出力ギヤ６７が第１リングギヤ４３とは別の第２リングギヤ４４に噛み合う例を示したが、第２リングギヤ４４を省略し、第１リングギヤ４３に両方の出力ギヤ１３，６７が噛み合うように構成してもよい。なお、出力ギヤ６７が本体ケース５よりエンジン側に突出した第２リングギヤ４４と噛み合う場合には、本体ケース５をエンジン車とハイブリッド車とで共通化できる利点がある。
【００２５】
図２，図６に示すように、差動装置４０の出力軸４１，４２はエンジン出力軸２の後方の斜め下方に配置され、第２収容室Ｓ２はトルクコンバータ３を収容したコンバータハウジング６の後部でかつ差動装置４０の上方に配置されている。電動モータ５０のモータ軸５０ａ（第１減速軸６１）はエンジン１の後側側部であって差動装置４０より上方に配置され、第２減速軸６２はモータ軸５０ａ（第１減速軸６１）と差動装置４０の出力軸４１，４２との上下方向中間位置に配置されている。そして、第２収容室Ｓ２はエンジン１の高さを超えない位置に配置されている。このように、エンジン１及び差動装置４０に対して、電動モータ５０及び減速ギヤ機構６０を配置することで、電動モータ５０をできるだけエンジン１に近づけることができ、空きスペースを有効利用して電動モータ５０及び減速ギヤ機構６０等をコンパクトに配置できる。また、電動モータ５０の駆動力を減速ギヤ機構６０を介して差動装置４０へ伝達するので、小型のモータを使用でき、一層コンパクトに構成できる。このような構成は、限られたエンジンルーム内に収容されるＦＦ車をベースとしたハイブリッド車の駆動装置として好適である。
【００２６】
図２，図３に示すように、コンバータハウジング６には第１プラグ８０が固定され、減速ギヤ機構６０に潤滑油を供給するための配管８１が接続されている。ギヤカバー１４には第２プラグ８２が固定されており、油圧クラッチ７０への供給油圧の元圧を供給するための配管８３が接続されている。配管８１，８３は本体ケース５の側壁に設けられた油圧検出口８４，８５にそれぞれ接続されている。これら油圧検出口８４，８５は油圧チェックのために、エンジン車用の無段変速機Ａに既に備えられたものである。一方の油圧検出口８４からはトルクコンバータ３のロックアップＯＮ圧が出力され、他方の油圧検出口８５からは逆転ブレーキ２８の供給油圧Ｐｂが出力されている。第１プラグ８０に供給された潤滑油は、潤滑油路８６を通って第２減速軸６２の軸心穴８７に供給され、第２収容室Ｓ２内に収容されたワンウエイクラッチ６５やベアリング、ギヤ等を潤滑している。第２収容室Ｓ２は差動装置４０より上部に配置されているので、第２収容室Ｓ２に溜まった潤滑油は重力によって、コンバータハウジング６に形成された通路（図示せず）を通り、デフ収容室Ｓ３へ戻される。第２プラグ８２に供給された油圧Ｐｂは、第２収容室Ｓ２に収容されたモータ動力制御用油圧制御装置９０に導かれる。
【００２７】
図３，図７，図８に示すように、モータ動力制御用油圧制御装置９０は、ギヤカバー１４に固定されたバルブボデー９１と、３本のバルブ９２〜９４とを備えているが、ポンプ等の独自の油圧源は備えていない。第１のバルブ９２は変速制御用油圧制御装置１６から配管８３を介して供給された油圧Ｐｂを一定のモジュレータ圧Ｐｍに調圧するモジュレータバルブであり、第２のバルブ９３はモジュレータ圧を調整して電気信号に比例した信号圧Ｐｓを出力するリニアソレノイドバルブであり、第３のバルブ９４は変速制御用油圧制御装置１６から供給された油圧Ｐｂを油圧クラッチ７０へ給排するコントロールバルブである。リニアソレノイドバルブ９３の信号圧Ｐｓはコントロールバルブ９４の信号ポート９４ａに供給され、コントロールバルブ９４を切り替え制御する。上述のモータ動力制御用油圧制御装置９０はハイブリッド車専用であり、エンジン車用の変速制御用油圧制御装置１６に追加されるものである。上記のように減速ギヤ機構６０と油圧クラッチ７０とバルブボデー９１とが１つの収容室Ｓ２にまとめて配置されているため、コンパクトに構成できるとともに、バルブボデー９１が油圧クラッチ７０の近くに配置されるので、油路が短くなり、油圧クラッチ７０の応答性が向上する。そのため、電動モータ５０の動力制御を精度よく行うことができる。バルブボデー９１が減速ギヤ機構６０より上部に配置されているので、バルブボデー９１から排出されたドレーン油が減速ギヤ機構６０の上に落下し、潤滑に利用できる。
【００２８】
上述のように、油圧クラッチ７０の元圧Ｐｂとして、変速制御用油圧制御装置１６から前進時に締結される逆転ブレーキ２８の油圧が供給されている。元圧Ｐｂとして変速制御用油圧制御装置１６からライン圧を導くことも可能であるが、無段変速機の場合、ライン圧はベルト推力を得るための従動側油圧サーボ３４への供給油圧を兼ねるので、非常に高い油圧であり、この高いライン圧を油圧クラッチ７０に適した油圧まで大きく減圧する必要があり、しかもライン圧の油路途中から油圧を取り出すと、無段変速機の油圧供給に影響を与える可能性がある。これに対し、前進時に締結される逆転ブレーキ２８の供給油圧は、油圧クラッチ７０の必要油圧と略同レベルの油圧であると同時に、逆転ブレーキ２８の供給油圧は行き止まりの圧であるので、ライン圧に影響を及ぼすことがない。また、減速ギヤ機構６０の潤滑系の油圧として、ロックアップＯＮ圧を利用しているが、ロックアップＯＮ圧はその先が潤滑系統に流れるので、これを減速ギヤ機構６０に利用しても、何ら変速機本体に影響を及ぼさない。
【００２９】
上記実施例では、逆転ブレーキ２８が前進時に締結され、油圧クラッチ７０への供給油圧の元圧として逆転ブレーキ２８への供給油圧を利用したが、直結クラッチ２９が前進時に締結される変速機の場合には、油圧クラッチ７０への供給油圧の元圧として直結クラッチ２９への供給油圧を利用してもよい。さらに、変速制御用油圧制御装置１６に与える影響を小さくできる場合には、ライン圧やその他の油圧を利用することも可能である。
【００３０】
ここで、上記構成よりなるハイブリッド自動車の作動を説明する。高速走行時には、エンジン１による走行が選択され、エンジン１の動力はトルクコンバータ３、変速機構３０を介して差動装置４０へ伝達され、出力軸４１，４２を介して車輪が駆動される。このとき、モータ動力断続用油圧クラッチ７０は解放しているので、電動モータ５０は追随回転せず、許容回転数の限界を超えることがない。走行途中で減速する場合には、油圧クラッチ７０を係合することで、差動装置４０と電動モータ５０とを接続し、電動モータ５０を発電機として作用させてエネルギー回生を行う。回生された電気エネルギーはバッテリに蓄えられる。なお、渋滞路のような低速走行時には、エンジン１を停止し、電動モータ５０によって走行することもできるし、エンジン１による走行時に電動モータ５０による駆動力を付与することで、燃費の向上や排気ガスの低減を行うこともできる。
【００３１】
燃費および環境性能の向上のため、アイドルストップ制御を行う場合がある。その場合、エンジンが停止しているため、オイルポンプ９が油圧を発生しておらず、逆転ブレーキ２８だけでなくモータ動力断続用油圧クラッチ７０も締結できず、発進できない。これに対し、本実施例のように電動モータ５０と差動装置４０との間にワンウエイクラッチ６５を設けた場合には、電動モータ５０を駆動すれば、その動力がワンウエイクラッチ６５を介して差動装置４０に即座に伝達されるため、電動モータ５０によって発進することが可能になる。やがてエンジン１が始動してオイルポンプ９が油圧を発生するようになれば、逆転ブレーキ２８を締結してエンジン動力によって走行を行い、電動モータ５０を停止させればよい。
【００３２】
上記のようにワンウエイクラッチ６５を設けることで、油圧が発生していない状態でも電動モータ５０による発進を行うことができるが、それだけでなく、エンジン１による走行と電動モータ５０による走行との動力伝達を円滑に切り替える機能も有する。例えばアイドルストップ状態からの発進時には電動モータ５０によって発進し、車速が上昇すればエンジン１による走行に切り替えるが、その際に油圧クラッチ７０を急に切ると、切替ショックを伴う可能性がある。これに対し、ワンウエイクラッチ６５を設けることで、電動モータ５０による走行からエンジン１による走行への切り替わりに際して、エンジン側（内輪）の回転速度が電動モータ側（外輪）の回転速度より高くなると、ワンウエイクラッチ６５が自動的にフリーになるので、ショックのない円滑な動力の切り替えが可能である。逆に、エンジン１による走行から電動モータ５０による走行への切り替わりに際しても、電動モータ側（外輪）の回転速度がエンジン側（内輪）の回転速度より高くなると、ワンウエイクラッチ６５が自動的にロックするので、ショックのない切り替えが可能になる。
【００３３】
本発明は上記実施例に限定されるものではない。上記実施例では、電動モータを変速機ケースのエンジン側に配置した例を示したが、変速機ケースの反エンジン側に配置することもできる。この場合には、第２収容室をコンバータハウジングとギヤカバーとの間ではなく、本体ケースとギヤカバーとの間に形成することもできる。
【００３４】
上記実施例では、電動モータと差動装置との間に２軸の減速ギヤ機構を設けたが、モータ軸と同軸に減速ギヤを有する減速軸を取り付け、この減速ギヤを差動装置の第１リングギヤ又は第２リングギヤに噛み合わせてもよい。
【００３５】
本発明における変速機とは無段変速機に限るものではなく、一般の有段式自動変速機であってもよい。自動変速機の場合も、油圧制御装置や本体ケースが複雑な構造であるため、これら部品を共通化することで、安価なハイブリッド自動車を実現することが可能である。
【図面の簡単な説明】
【００３６】
【図１】本発明にかかるハイブリッド自動車の駆動装置の一例を示す概略骨格図である。
【図２】エンジン側から見た変速機ケースの側面図である。
【図３】図１に示す駆動装置の差動装置と電動モータ駆動機構の具体例を示す断面図である。
【図４】図３の要部の拡大図である。
【図５】電動モータの取付状態を示す車両後方からみた側面図である。
【図６】電動モータの取付状態を示す車両右側方からみた側面図である。
【図７】図１に示す駆動装置のモータ動力制御用油圧制御装置を示す断面図である。
【図８】モータ動力制御用油圧制御装置の油圧回路図である。
【符号の説明】
【００３７】
１            エンジン
２            エンジン出力軸
３            トルクコンバータ
４            変速機ケース
５            本体ケース
６            コンバータハウジング
１０          入力軸
２０          前後進切替装置
２８          逆転ブレーキ
２９          直結クラッチ
３０          変速機構
４０          差動装置
４１，４２    出力軸
４３          第１リングギヤ
４４          第２リングギヤ
５０          電動モータ
５０ａ        モータ軸
５３          リテーナ
５５          ブラケット
５６          ベアリング
６０          減速ギヤ機構
７０          油圧クラッチ
９０          モータ動力制御用油圧制御装置
【図１】
2008239123.tif 000003
【図２】
2008239123.tif 000004
【図３】
2008239123.tif 000005
【図４】
2008239123.tif 000006
【図５】
2008239123.tif 000007
【図６】
2008239123.tif 000008
【図７】
2008239123.tif 000009
【図８】
2008239123.tif 000010